(57)【要約】【課題】マークダウン機能を備えた印字装置によって記録紙を発行方法において、予め許可された責任者しかマークダウン機能を使用して記録紙の発行ができないようにしたセキュリティの高い記録紙の発行方法を提供することである。【解決手段】予めマークダウン機能を使用することを許可された責任者の指紋を指紋認証センサ５で読み取り指紋認証コントローラ５ａに登録させておく。オペレータがタイムサービスなどで値引き後のラベル３を発行させる場合、サーマルプリンタ１のマークダウン機能を選択し、指紋入力をする。この入力された指紋と予め登録されている責任者の指紋と対比して認証する。認証結果、オペレータが責任者であると認証された場合に、マークダウン機能の使用が許可されて値引き後のラベル３が印字されて記録紙４が発行される。【選択図】図３
2009176016.tif 000002
【特許請求の範囲】
【請求項１】
値引き処理を行うマークダウン機能を備えた記録紙に印字させる印字装置の記録紙の発行方法において、
責任者の生体情報を読み取る工程と、該読み取られた責任者の生体情報を登録する生体情報登録工程と、オペレータの生体情報を読み取る工程と、該読み取られたオペレータの生体情報と前記登録された責任者の生体情報とを比較して認証する認証工程と、該認証結果によって前記マークダウン機能の使用の許否を判定する使用判定工程とを有していることを特徴とする記録紙の発行方法。
【請求項２】
値引き処理を行うマークダウン機能を備えた記録紙に印字させる印字装置において、
責任者の生体情報を読み取る生体情報認証センサと、該生体情報認証センサにより読み取られた責任者の生体情報を登録する生体情報登録手段と、オペレータの生体情報を前記生体情報認証センサにより読み取られた生体情報と前記生体情報登録手段に登録された責任者の生体情報とを比較して認証する生体情報認証コントローラと、該生体情報認証コントローラの認証結果によって前記マークダウン機能の許否を判定する使用判定手段とを備えていることを特徴とするマークダウン機能を備えた印字装置。
【発明の詳細な説明】
【技術分野】
【０００１】
本発明は、値引き処理を行うマークダウン機能を備えた印字装置による記録紙の発行方法において、予めマークダウンの使用が許可された責任者しか値引き後の記録紙の発行ができないようにしたセキュリティの高い記録紙の発行方法に関するものである。
【背景技術】
【０００２】
従来のラベルプリンタでは、誰でも印字データを簡単に設定および変更することができるため、製造年月日や消費期限などの日付を本来用いられるべき日付とは異なる不正な日付を設定することができる。このような不正な行為を抑制するためのラベルプリンタが提案されている（たとえば、特許文献１参照）。
【０００３】
このラベルプリンタでは、商品名、製造年月日、消費期限などと発行枚数がテーブルデータとして生成され、不正に発行枚数が発行されないように予め記憶されている登録者パスワードを知る管理者だけが許可されて発行枚数を変更することができるようになっている。
【特許文献１】特開２００４−１５１９９５号公報
【発明の開示】
【発明が解決しようとする課題】
【０００４】
しかしながら、上記構成のラベルプリンタにおいては、次のような問題点がある。テーブルデータに記憶されている製品のラベルを所定の枚数だけ発行しようとした場合、予め記憶されている登録者パスワードを知っていれば管理者以外のオペレータでも登録者パスワードを入力することにより、勝手に発行枚数を変更することができるというセキュリティ上の問題があった。
【０００５】
本発明は、この点を鑑みて、値引き処理を行うマークダウン機能を備えた印字装置によって記録紙を発行方法において、予め許可された責任者しかマークダウン機能を使用して記録紙の発行ができないようにしたセキュリティの高い記録紙の発行方法を提供することである。
【課題を解決するための手段】
【０００６】
上記の課題を解決するために、請求項１に係る記録紙の発行方法は、値引き処理を行うマークダウン機能を備えた記録紙に印字させる印字装置の記録紙の発行方法において、責任者の生体情報を読み取る工程と、該読み取られた責任者の生体情報を登録する生体情報登録工程と、オペレータの生体情報を読み取る工程と、該読み取られたオペレータの生体情報と前記登録された責任者の生体情報とを比較して認証する認証工程と、該認証結果によって前記マークダウン機能の使用の許否を判定する使用判定工程とを有しているものである。
【０００７】
また、上記の課題を解決するために、請求項２に係るマークダウン機能を備えた印字装置は、値引き処理を行うマークダウン機能を備えた記録紙に印字させる印字装置において、責任者の生体情報を読み取る生体情報認証センサと、該生体情報認証センサにより読み取られた責任者の生体情報を登録する生体情報登録手段と、オペレータの生体情報を前記生体情報認証センサにより読み取られた生体情報と前記生体情報登録手段に登録された責任者の生体情報とを比較して認証する生体情報認証コントローラと、該生体情報認証コントローラの認証結果によって前記マークダウン機能の許否を判定する使用判定手段とを備えていることである。
【発明の効果】
【０００８】
請求項１に係る記録紙の発行方法によれば、値引き処理を行うマークダウン機能を備えた記録紙に印字させる印字装置の記録紙の発行方法において、責任者の生体情報を読み取る工程と、該読み取られた責任者の生体情報を登録する生体情報登録工程と、オペレータの生体情報を読み取る工程と、該読み取られたオペレータの生体情報と前記登録された責任者の生体情報とを比較して認証する認証工程と、該認証結果によって前記マークダウン機能の使用の許否を判定する使用判定工程とを有しているので、予め生体情報が登録された責任者と認証されたオペレータしか値引き処理を行うマークダウン機能を使って記録紙を発行することができないようにすることができ、セキュリティの高い記録紙を発行することができる。
【０００９】
また、請求項２に係るマークダウン機能を備えた印字装置によれば、値引き処理を行うマークダウン機能を備えた記録紙に印字させる印字装置において、責任者の生体情報を読み取る生体情報認証センサと、該生体情報認証センサにより読み取られた責任者の生体情報を登録する生体情報登録手段と、オペレータの生体情報を前記生体情報認証センサにより読み取られた生体情報と前記生体情報登録手段に登録された責任者の生体情報とを比較して認証する生体情報認証コントローラと、該生体情報認証コントローラの認証結果によって前記マークダウン機能の許否を判定する使用判定手段とを備えているので、請求項１に係る発明と同様な効果を奏する。
【発明を実施するための最良の形態】
【００１０】
以下に図面を参照して本発明の好ましい実施の形態について説明する。図１は、本発明の実施の形態に係るサーマルプリンタの全体斜視図である。図１において、印字装置の一例としてサーマルプリンタ１が示され、帯状の台紙２に一定間隔をおいて値引き後のラベル３が仮着された記録紙４が責任者と認証されたオペレータによって発行されている。また、サーマルプリンタ１の正面パネルの凹部には、オペレータ又は責任者の生体情報である指紋を読み取る生体情報認証センサである指紋認証センサ５が設けられ、一方、サーマルプリンタ１の上面右肩部分には、後述する表示部１２とその下に操作部１０が設けられている。
【００１１】
予め、値引き処理を行うマークダウン機能を使って値引き後のラベル３を発行することができる責任者の指紋を指紋認証センサ５で読み取り、読み取られた責任者の指紋が生体情報認証コントローラである後述する指紋認証コントローラ５ａに登録される。また、オペレータの指紋が指紋認証センサ５で読み取られ、指紋認証センサ５で読み取られたオペレータの指紋と予め指紋認証コントローラ５ａに登録されている責任者の指紋とが指紋認証コントローラ５ａによって対比され認証される。このように、指紋認証コントローラ５ａは、制御部とメモリー部とが一体となってユニット化されている。
【００１２】
図２は、サーマルプリンタの制御系の構成を示すブロック図である。図２において、ＣＰＵ６は、ＲＯＭ７に記憶されているサーマルプリンタ１の各部を制御する制御プログラムや各種処理を行うためのアプリケーションプログラムによって、ＲＡＭ８をワークエリアに使用して各部を制御したり各種処理を行う。ＥＥＰＲＯＭ９は、サーマルプリンタ１の各部の設定値などを記憶し、前述したようにＲＡＭ８は、ＣＰＵ６によって実行される各種プログラムおよびこれらのプログラムに使用するデータを一時的に記憶するワークエリアを形成する。
【００１３】
操作部１０は、テンキー、ファンクションキー、矢印キーなどで構成され、操作部コントローラ１０ａを介して操作信号をバスライン１１を経由してＣＰＵ６に供給する。表示部１２は、ＬＣＤで構成され、操作部１０からの入力情報やＣＰＵ６による処理結果などの各種情報を表示部コントローラ１２ａを介して表示する。
【００１４】
指紋認証センサ５で読み取られた指紋は、指紋認証コントローラ５ａを介してバスライン１１を経由して認証結果をＣＰＵ６に供給される。通信インターフェース１３は、外部機器とサーマルプリンタ１をＬＡＮまたは無線ＬＡＮなどと通信し相互にデータの送受信を行う。スキャナー１４は、後述する値付けされた元ラベル１５に印字されたバーコード１５ａを読み取り、読み取られたバーコード１５ａがスキャナーコントローラ１４ａでコード化され制御信号としてＣＰＵ６に供給される。また、サーマルプリンタ１の各部は、バスライン１１を介してＣＰＵ６に接続されている。
【００１５】
次に、値引き処理を行うマークダウン機能を使った記録紙の発行方法について説明する。図３は、記録紙の発行方法に係るフローチャートである。図３において、予めマークダウン機能を使用することを許可された責任者の指紋を指紋認証センサ５で読み取り（ステップＳ１）、読み取られた指紋が指紋認証コントローラ５ａに登録させておく（ステップＳ２）。
【００１６】
オペレータが値引き後のラベル３を発行させたい場合は、サーマルプリンタ１のマークダウン機能を選択する（ステップＳ３）。すると、表示部１２に「指紋認証センサ５に指を置いてください」と表示されるので、オペレータは指紋認証センサ５の上に指を載せ、指紋が読み取られる（ステップＳ４）。そして、読み取られたオペレータの指紋と予め指紋認証コントローラ５ａに記憶された責任者の指紋とを対比して認証処理をする（ステップＳ５）。認証処理をした結果、一致する場合は、オペレータが責任者であると認証する（ステップＳ６）。責任者であると認証すると、マークダウン機能の使用が許可された責任者と判定されて（ステップＳ７）、値引き後のラベル３を発行することができる（ステップＳ８）。ステップ６において、責任者であると認証されない場合は、表示部１２に「認証できませんので、マークダウン機能を使用することができません」と表示され、エラー処理をして、マークダウン機能を選択する前の状態に戻る（ステップＳ９）。
【００１７】
図４は、値引き後のラベルが元ラベルに貼付された平面図である。図４において、オペレータは、サーマルプリンタ１で値付けされた元ラベル１５を発行し製品に貼付して店頭に陳列する。その後、タイムサービスの時間帯になって、商品を値引き販売する場合は、オペレータがマークダウン機能を使用することが許可された責任者であることが認証された後、マークダウン機能を使用して値引き後のラベル３を発行する。
【００１８】
マークダウン機能を使用して値引き後のラベル３を発行する場合は、先ず、責任者と認証されたオペレータが、スキャナー１４で値付けされた元ラベル１５のバーコード１５ａを読み取り、所定の値引き処理をして値引き後のラベル３を発行する。そして、レジのスキャナー（図示なし）が値付けされた元ラベル１５のバーコード１５ａを読み込まないように、突起部３ａがバーコード１５ａの一部を覆い隠した状態で値引き後のラベル３が貼付される。こうすることによって、元ラベル１５のバーコード１５ａがレジのスキャナー（図示なし）で読み込まれることがなく、しかも、値付けの時の価格と値引き後の価格が対比され、消費者の購買意欲を図ることができる。
【００１９】
本実施の形態では、印字装置としてサーマルプリンタについて説明してあるが、これに限定されることなく、その他のプリンタにも広く適用される。また、本実施の形態では、生体情報として指紋について説明してあるが、これに限定されることなく、静脈、虹彩、掌形、顔、ＤＮＡ、網膜、耳介などの生体情報にも適用することができる。
【図面の簡単な説明】
【００２０】
【図１】本発明の実施の形態に係るサーマルプリンタの全体斜視図である。
【図２】サーマルプリンタの制御系の構成を示すブロック図である。
【図３】記録紙の発行方法に係るフローチャートである。
【図４】値引き後のラベルが元ラベルに貼付された平面図である。
【符号の説明】
【００２１】
１    サーマルプリンタ
２    台紙
３    値引き後のラベル
３ａ    突起部
４    記録紙
５    指紋認証センサ
５ａ    指紋認証コントローラ
６    ＣＰＵ
７    ＲＯＭ
８    ＲＡＭ
９    ＥＥＰＲＯＭ
１０    操作部
１０ａ    操作部コントローラ
１１    バスライン
１２    表示部
１２ａ    表示部コントローラ
１３    通信インターフェイス
１４    スキャナー
１４ａ    スキャナーコントローラ
１５    元ラベル
１５ａ    バーコード
【図１】
2009176016.tif 000003
【図２】
2009176016.tif 000004
【図３】
2009176016.tif 000005
【図４】
2009176016.tif 000006